(57)【要約】【課題】少ない表面処理工程によって表面に高級感をもたせることができると共に、生ける生花等と調和させることができ、かつ、生花等を表面に反映させて装飾効果を向上させることができる花器を提供すること。【解決手段】上端に設けられた開口部２の周縁から下方に向かって漸次拡径する上部半体４と、上部半体４の下端周縁から底部３に向かって漸次縮径する下部半体５とからなり、上部半体４及び下部半体５の表面に銀鏡皮膜層７を形成する。これにより、生花８を上部半体４の表面に反映させることができ、台座９等を含む周囲の色彩や模様を下部半体５に反映させることができる。【選択図】    図１
0003141482.tif 000002
【実用新案登録請求の範囲】
【請求項１】
上端に設けられた開口部の周縁から下方に向かって漸次拡径する上部半体と、該上部半体の下端周縁から底部に向かって漸次縮径する下部半体とからなり、前記上部半体及び下部半体の表面に銀鏡皮膜層を形成してなる、ことを特徴とする花器。
【請求項２】
前記上部半体と下部半体とで略球体を形成してなる、ことを特徴とする請求項１記載の花器。
【考案の詳細な説明】
【技術分野】
【０００１】
この考案は、生花や造花等を収容して飾る花器に関するものである。
【背景技術】
【０００２】
一般の花器は、陶器，ガラス，金属や合成樹脂等で形成されており、形状や外面に施された色彩や模様等で外観の美観が特徴付けられている。
【０００３】
また、花器に高級感をもたせるために、合成樹脂で形成された花器の表面に金属被膜層を形成したものが知られている（例えば、特許文献１参照）。この特許文献１の花器は、更に外観の豪華さを現すために、外表面に凹凸模様を形成し、その表面に金属被膜層例えば金属メッキ層と被膜層例えば塗布層とを順に形成して、表面側の被膜層（塗布層）を研磨により落として、部分的に金属被膜層を現出させている。
【特許文献１】登録実用新案第３０２７５２３号公報（実用新案登録請求の範囲、図１，図２）
【考案の開示】
【考案が解決しようとする課題】
【０００４】
しかしながら、特許文献１の花器においては、外観の豪華さを現すために、凹凸模様を形成し、その表面に金属メッキ層及び塗布層を形成し、更に塗布層を研磨する等の多くの工程が必要となる。また、特許文献１の花器においては、表面に形成された凹凸模様と金属被膜層によって外観の美的特徴部が特定されてしまい、生ける生花の種類によっては花器との調和がとれず、全体の美観が損なわれる懸念がある。
【０００５】
この考案は、上記事情に鑑みてなされたもので、少ない表面処理工程によって表面に高級感をもたせることができると共に、生ける生花等と調和させることができ、かつ、生花等を表面に反映させて装飾効果を向上させることができる花器を提供することを課題とする。
【課題を解決するための手段】
【０００６】
上記課題を解決するために、請求項１記載の考案は、上端に設けられた開口部の周縁から下方に向かって漸次拡径する上部半体と、該上部半体の下端周縁から底部に向かって漸次縮径する下部半体とからなり、前記上部半体及び下部半体の表面に銀鏡皮膜層を形成してなる、ことを特徴とする。
【０００７】
このように構成することにより、収容された生花等を上部半体の銀鏡皮膜層に反映させることができると共に、周囲の色彩や模様を下部半体に反映させることができる。
【０００８】
この考案において、前記上部半体と下部半体とで略球体を形成してもよい（請求項２）。
【０００９】
このように構成することにより、上部半体の反映部と下部半体の反映部を最大限に現すことができると共に、上下対称的に現すことができる。
【考案の効果】
【００１０】
（１）請求項１記載の考案によれば、収容された生花等を上部半体の銀鏡皮膜層に反映させることができると共に、周囲の色彩や模様を下部半体に反映させることができるので、如何なる種類の生花等に対しても調和が図れると共に、生花等が有する豪華さを反映された部分によって更に豪華にすることができる。更には、見る者の位置や光の関係で上部半体及び下部半体の表面に反映された像に変化をもたせることができるので、装飾効果を向上させることができる。
【００１１】
（２）請求項２記載の考案によれば、上部半体の反映部と下部半体の反映部を最大限に現すことができると共に、上下対称的に現すことができるので、上記（１）に加えて更に全体を豪華にすることができ、装飾効果を向上させることができる。
【考案を実施するための最良の形態】
【００１２】
以下に、この考案の最良の実施形態について、添付図面に基づいて詳細に説明する。
【００１３】
＜第１実施形態＞
図１は、この考案に係る花器の第１実施形態を示す概略斜視図、図２は、第１実施形態に係る花器の正面図（ａ）及び縦断面図（ｂ）である。
【００１４】
第１実施形態の花器１は、上端に設けられた開口部２の周縁から下方に向かって漸次拡径する略半球状の上部半体４と、上部半体４の下端周縁から平坦状の底部３に向かって漸次縮径する略半球状の下部半体５とからなる略球状の例えば合成樹脂製あるいはガラス製の花器本体６によって形成されている。また、花器本体６すなわち上部半体４及び下部半体５の表面には銀鏡皮膜層７が形成されている。
【００１５】
上記のように形成される花器１によれば、開口部２に収容（挿入）される生花や造花等例えば生花８を、略半球状に形成された上部半体４の銀鏡皮膜層７の表面に反映させることができる。また、上部半体４と同様に略半球状に形成された下部半体５の銀鏡皮膜層７の表面に、花器１の底部３を載置した台座９を含む周囲の色彩や模様を反映させることができる。また、上部半体４の反映部４ａと下部半体５の反映部５ａを最大限に現すことができると共に、上下対称的に現すことができる。
【００１６】
したがって、如何なる種類の生花８に対しても調和が図れると共に、生花８が有する豪華さを反映部４ａによって更に豪華にすることができる。更には、見る者の位置や光の関係で上部半体４及び下部半体５の表面に反映された像（反映部４ａ，５ａ）に変化をもたせることができるので、装飾効果を向上させることができる。また、上部半体４の反映部４ａと下部半体５の反映部５ａを最大限に現すことができると共に、上下対称的に現すことができるので、更に全体を豪華にすることができ、装飾効果を向上させることができる。
【００１７】
＜第２実施形態＞
図３は、この考案に係る花器の第２実施形態を示す概略斜視図、図４は、第２実施形態に係る花器の正面図（ａ）及び縦断面図（ｂ）である。
【００１８】
第２実施形態の花器１Ａは、上端に設けられた小径の扁平筒状の開口部２Ａの周縁から下方に向かって漸次拡径する略半球状の上部半体４Ａと、上部半体４Ａの下端周縁から平坦状の底部３Ａに向かって漸次縮径する略逆截頭円錐状の下部半体５Ａとからなる例えば合成樹脂製あるいはガラス製の花器本体６Ａによって形成されている。また、花器本体６Ａすなわち上部半体４Ａ及び下部半体５Ａの表面には第１実施形態と同様に銀鏡皮膜層７が形成されている。
【００１９】
上記のように形成される花器１Ａによれば、開口部２Ａに収容（挿入）される生花や造花等例えば生花８を、略半球状に形成された上部半体４Ａの銀鏡皮膜層７の表面に反映させることができる。また、略逆截頭円錐状に形成された下部半体５Ａの銀鏡皮膜層７の表面に、花器１Ａの底部３Ａを載置した台座９を含む周囲の色彩や模様を逆截頭円錐状面に縦長状に反映させることができる。
【００２０】
したがって、第１実施形態と同様に、如何なる種類の生花８に対しても調和が図れると共に、生花８が有する豪華さを反映部４ａによって更に豪華にすることができる。更には、見る者の位置や光の関係で上部半体４Ａ及び下部半体５Ａの表面に反映された像（反映部４ａ，５ａ）に変化をもたせることができるので、全体を豪華にすることができ、装飾効果を向上させることができる。
【００２１】
なお、第２実施形態において、その他の部分は第１実施形態と同じであるので、同一部分には同一符号を付して説明は省略する。
【００２２】
＜第３実施形態＞
図５は、この考案に係る花器の第３実施形態を示す概略斜視図、図６は、第３実施形態に係る花器の正面図（ａ）及び縦断面図（ｂ）である。
【００２３】
第３実施形態の花器１Ｂは、上端に設けられた大径の開口部２Ｂの周縁から下方に向かって漸次拡径する略扁平半球状の上部半体４Ｂと、上部半体４Ｂの下端周縁から平坦状の底部３Ｂに向かって漸次縮径する略扁平半球状の下部半体５Ｂとからなる側面視が略楕円形状の例えば合成樹脂製あるいはガラス製の花器本体６Ｂによって形成されている。また、花器本体６Ｂすなわち上部半体４Ｂ及び下部半体５Ｂの表面には第１実施形態と同様に銀鏡皮膜層７が形成されている。
【００２４】
上記のように形成される花器１Ｂによれば、開口部２Ｂに収容（挿入）される生花や造花等例えば生花８を、略扁平半球状に形成された上部半体４Ｂの銀鏡皮膜層７の表面に反映させることができる。また、略扁平半球状に形成された下部半体５Ｂの銀鏡皮膜層７の表面に、花器１Ｂの底部３Ｂを載置した台座９を含む周囲の色彩や模様を扁平半球状面に横長状に反映させることができる。
【００２５】
したがって、第１実施形態と同様に、如何なる種類の生花８に対しても調和が図れると共に、生花８が有する豪華さを反映部４ａによって更に豪華にすることができる。更には、見る者の位置や光の関係で上部半体４Ｂ及び下部半体５Ｂの表面に反映された像（反映部４ａ，５ａ）に変化をもたせることができるので、全体を豪華にすることができ、装飾効果を向上させることができる。
【００２６】
なお、第３実施形態において、その他の部分は第１実施形態と同じであるので、同一部分には同一符号を付して説明は省略する。
【００２７】
＜その他の実施形態＞
上記実施形態では、花器１，１Ａ，１Ｂの上部半体４，４Ａ，４Ｂが略半球状あるいは略扁平半球状に形成され、下部半体５，５Ａ，５Ｂが略半球状，略逆截頭円錐状あるいは略扁平半球状に形成される場合について説明したが、この考案の花器には、上記形態以外に、開口部の周縁から下方に向かって漸次拡径する上部半体と、上部半体の下端周縁から底部に向かって漸次縮径する下部半体とからなり、上部半体及び下部半体の表面に銀鏡皮膜層を形成してなる形態も含まれる。例えば、上部半体を截頭円錐状に形成し、下部半体を略逆截頭円錐状，略半球状あるいは略扁平半球状に形成した形態としてもよい。
【図面の簡単な説明】
【００２８】
【図１】この考案に係る花器の第１実施形態を示す概略斜視図である。
【図２】第１実施形態に係る花器の正面図（ａ）及び縦断面図（ｂ）である。
【図３】この考案に係る花器の第２実施形態を示す概略斜視図である。
【図４】第２実施形態に係る花器の正面図（ａ）及び縦断面図（ｂ）である。
【図５】この考案に係る花器の第３実施形態を示す概略斜視図である。
【図６】第３実施形態に係る花器の正面図（ａ）及び縦断面図（ｂ）である。
【符号の説明】
【００２９】
１，１Ａ，１Ｂ  花器
２，２Ａ，２Ｂ  開口部
３，３Ａ，３Ｂ  底部
４，４Ａ，４Ｂ  上部半体
４ａ，５ａ  反映部
５，５Ａ，５Ｂ  下部半体
６，６Ａ，６Ｂ  花器本体
７  銀鏡皮膜層
８  生花
９  台座
【図１】
0003141482.tif 000003
【図２】
0003141482.tif 000004
【図３】
0003141482.tif 000005
【図４】
0003141482.tif 000006
【図５】
0003141482.tif 000007
【図６】
0003141482.tif 000008